(57)【特許請求の範囲】
【請求項１】
所定条件の成立に基づき特定の遊技価値を付与可能な遊技機において、
遊技媒体の発射勢を調節するための操作ハンドルの近傍に、該操作ハンドルを操作する手を載せることが可能な載置装置を備え、
この載置装置には、凹面状に構成された手載置面が前記操作ハンドルの下方の位置となるように設けられ、当該載置装置の内部に該手載置面に載せた手に振動を伝える振動装置が左右方向に並んだ状態で複数設けられ、
前記複数の振動装置のうち、前記操作ハンドルを操作すべき方向と対応する側の振動装置を振動させることにより、遊技状態に応じて変化する遊技媒体の適正発射勢を遊技者に報知することを特徴とする遊技機。
【請求項２】
前記載置装置の上下位置を、遊技者の操作により調整するための載置装置位置調整手段を備えることを特徴とする請求項１記載の遊技機。
【請求項３】
当該遊技機の本体枠の下部に備えられる幕板の前面に前記載置装置を着脱可能に取り付けるための取付部を備えていることを特徴とする請求項１又は２記載の遊技機。
【請求項４】
前記手載置面が柔軟部材で構成されていることを特徴とする請求項１〜３の何れかに記載の遊技機。
【請求項５】
前記載置装置は、
上面に前記手載置面が形成される本体部と、前記本体部の左右方向の一側方より側方に向けて突出する突出部と、を備えるとともに、
遊技媒体の貸し出し操作を行うためのカード用操作部を前記突出部の上面であって前記操作ハンドルよりも外側となるように配設することを特徴とする請求項１〜４の何れかに記載の遊技機。
【発明の詳細な説明】
【０００１】
【発明の属する技術分野】
本発明は、例えばパチンコ遊技機等の遊技機に関する。
【０００２】
【従来の技術】
従来の遊技機、例えばパチンコ遊技機は、本体枠と該本体枠に対して開閉可能に軸支された前面枠とを備えて概略構成されている。この前面枠には、遊技領域を形成する遊技盤が備えられているとともに、この遊技盤を前方から視認可能とするガラス部材を保持した前面カバー部材が、開閉可能な軸支状態で備えられている。さらに前面カバー部材の下方、前面枠の下部には、遊技領域に向けて遊技球（遊技媒体）の発射操作を行うための操作ハンドルを備えた下皿ユニットが設けられている。また、下皿ユニットの下方、本体枠の最下部前面には幕板を固定的に備えている。
このような遊技機で遊技する際に、遊技者は操作ハンドルを掴んで回動操作して角度を調節し、該操作ハンドルをその角度に維持した状態で遊技球を発射させる。そして、遊技者は、遊技している間中、操作ハンドルをその調節した回動角度に維持できるように掴み続ける。
【０００３】
【発明が解決しようとする課題】
しかし、操作ハンドルは、通常、手を離すと遊技球を発射しない位置に復帰するように付勢されているので、遊技者は、遊技している間中、操作ハンドルを掴み該付勢に抗して該操作ハンドルを回動状態に維持する必要がある。また、発射操作ハンドルは、本体枠幕板の上下幅分だけ、その下の台よりも高い位置にあるので、遊技者は、自身の力のみで操作ハンドルを握る手を宙に支持し続ける必要がある。よって、遊技者は手や腕に大きな負担がかかり疲れやすくなるという問題がある。
また、従来の遊技機の中には、操作ハンドルを振動させるものもあるが、直接操作ハンドルを振動させるので、該振動によって操作ハンドルがブレてしまうという問題がある。
【０００４】
本発明は、上記課題に鑑みなされたもので、遊技者の手や腕にかかる負担を軽減できるとともに、操作ハンドルのブレを防止できる遊技機を提供することを目的とする。
【０００５】
【課題を解決するための手段】
上記課題を解決するため、請求項１記載の発明は、所定条件の成立に基づき特定の遊技価値を付与可能な遊技機において、遊技媒体の発射勢を調節するための操作ハンドルの近傍に、該操作ハンドルを操作する手を載せることが可能な載置装置を備え、この載置装置には、凹面状に構成された手載置面が前記操作ハンドルの下方の位置となるように設けられ、当該載置装置の内部に該手載置面に載せた手に振動を伝える振動装置が左右方向に並んだ状態で複数設けられ、前記複数の振動装置のうち、前記操作ハンドルを操作すべき方向と対応する側の振動装置を振動させることにより、遊技状態に応じて変化する遊技媒体の適正発射勢を遊技者に報知することを特徴とする。
【０００６】
ここで、「所定条件」とは、例えば、第１種のパチンコ遊技機において変動表示ゲームの結果図柄が特定の停止態様となることや、第３種のパチンコ遊技機において権利状態を発生させる特定領域で遊技球を検出することや、電動役物を複数備えた一般電役機において電動役物を連続して開放させる契機となる入賞が発生することなどにより成立する。
「特定の遊技価値」とは、例えば、特別遊技状態（遊技者にとって特に有利な遊技状態）等の発生に基づいて付与される遊技球等の大量獲得機会等のことである。特別遊技状態には、例えば、第１種のパチンコ遊技機における大入賞口（特別変動入賞装置ともいう）の開放、第３種のパチンコ遊技機における権利発生の状態、あるいは電動役物を複数備えた一般電役機における電動役物を連続して開放させる状態などが含まれる。
また、振動装置としては、例えば、偏心ウェイトを小型モータで回転させることにより振動するものや、永久磁石と接近状態で対向配置した電磁石の電源をオン、オフを切替えることにより電磁石と永久磁石とが吸引と反発を繰り返すことで振動するものが挙げられるが、その他でも要は振動可能なものであれば良い。また、振動装置は、例えば、該振動装置全体が振動しても良いし、該振動装置を構成する一部（例えば振動ユニットなど）が振動しても良い。
また、遊技媒体とは、例えば遊技球等のように、発射操作されるものである。
【０００７】
この請求項１記載の発明によれば、遊技媒体の発射勢を調節するための操作ハンドルの近傍に、該操作ハンドルを操作する手を載せることが可能な載置装置を備えたので、遊技者は操作ハンドルを掴む手や腕にかかる負担を軽減できる。よって、遊技者は長時間遊技を行っても疲れ難くなる。また、この載置装置には手に振動を伝達するための振動装置が設けられているので、遊技者は振動装置から発せられた振動による報知演出を載置装置に載せた手から体感することができる。また、例えば操作ハンドルを振動させる遊技機の場合とは異なり、操作ハンドルではなく載置装置が振動するので、該振動によって操作ハンドルがブレることはない。
また、振動装置を複数備え、該複数の振動装置のうち、操作ハンドルを操作すべき方向と対応する側の振動装置を振動させることにより、遊技状態に応じて変化する遊技媒体の適正発射勢を遊技者に報知するので、遊技者は振動装置の振動する位置により操作ハンドルの適正操作位置を知ることができる。よって、遊技者は遊技状態に応じて適切に操作ハンドルを操作することができる。
【０００８】
請求項２記載の発明は、請求項１記載の遊技機において、
前記載置装置の上下位置を、遊技者の操作により調節するための載置装置位置調節手段を備えることを特徴とする。
【０００９】
この請求項２記載の発明によれば、載置装置の上下位置を、遊技者の操作により調節するための載置装置位置調節手段を備えるので、遊技者が該遊技者自身の手の位置や大きさ等に合わせて載置装置の位置を調節できる。よって、遊技者は手や腕により負担のかかり難い状態で遊技を行うことができる。
【００１０】
請求項３記載の発明は、請求項１又は２記載の遊技機において、
当該遊技機の本体枠の下部に備えられる幕板の前面に前記載置装置を着脱可能に取り付けるための取付部を備えていることを特徴とする。
【００１１】
この請求項３記載の発明によれば、遊技機の幕板の前面に載置装置を着脱可能に取り付けるための取付部を備えているので、例えば遊技店側で載置装置を取り付けるか否かを選択することができる。
【００１２】
請求項４記載の発明は、請求項１〜３の何れか記載の遊技機において、
前記手載置面が柔軟部材で構成されていることを特徴とする。
【００１３】
この請求項４記載の発明によれば、手載置面が柔軟部材で構成されているので、載置装置に載せた遊技者の手を柔軟部材によってソフトに支持することができる。よって、例えば長時間遊技し続けても、載置装置により心地よく支持し続けることができる。
【００１４】
請求項５記載の発明は、請求項１〜４の何れか記載の遊技機において、
前記載置装置は、上面に前記手載置面が形成される本体部と、前記本体部の左右方向の一側方より側方に向けて突出する突出部と、を備えるとともに、遊技媒体の貸し出し操作を行うためのカード用操作部を前記突出部の上面であって前記操作ハンドルよりも外側となるように配設することを特徴とする。
【００１５】
この請求項５記載の発明によれば、遊技者は遊技媒体の貸し出し操作を手元で容易に行うことができる。また、遊技媒体の貸し出し操作を行うためのカード操作部を突出部の上面であって操作ハンドルよりも外側に配置したので、カード操作部を上皿よりも低い位置に備えたにも関わらず、上皿からこぼれた遊技球が、球貸スイッチに当たって余分に遊技球が排出されたり、返却スイッチに当たって勝手にカード返却されたりする心配はない。
【００１８】
【発明の実施の形態】
以下、図面を参照して、本発明に係る実施の形態について説明する。
【００１９】
［第１の実施の形態］
本実施の形態は、本発明に係る遊技機の適例としてのパチンコ遊技機、特に、いわゆる「第１種」に属するタイプのパチンコ遊技機について説明を行うものである。
【００２０】
図１のパチンコ遊技機１００は、本体部１００ａと、該本体部１００ａの横隣に設けられ、遊技球貸出用のカード（図示省略）が挿入されるカードユニット５００とを備えている。また、本体部１００ａは、前面視ロ字状の枠体である本体枠１１０（全体図示略）と、該本体枠１１０の一側方に回動可能に軸支された前面枠１１１とを備えている。
【００２１】
この前面枠１１１には、遊技領域１ａを形成する遊技盤１が備えられているとともに、この遊技盤１を前方から視認可能とするガラス部材２１を保持した前面カバー部材２２が、開閉可能な軸支状態で備えられている。
このうち遊技盤１のガイドレール２で囲まれた遊技領域１ａは、普図始動ゲート６，６、特別図柄（特図）表示装置４、普通図柄（普図）表示器７、普通変動入賞装置９、特別変動入賞装置５、大入賞口５ｂ、一般入賞口８，…、風車と呼ばれる打球方向変換部材１４，…、多数の障害釘（図示略）などを備えている。
【００２２】
また、前面枠１１１は、前面カバー部材２２より下方、当該パチンコ遊技機１００の前面下部に、上皿ユニット１３０を備えている。この上皿ユニット１３０は、排出された遊技球（遊技媒体）を貯留する上皿１３１を備えている。上皿１３１は、カードユニット５００にカードを挿入した状態で押圧操作することで上皿１３１に遊技球の排出動作を行うための球貸スイッチ１３１ａ、カードユニット５００に挿入されたカードの返却動作を行うための返却スイッチ１３１ｂ、ならびに、カードユニット５００に挿入されたカードの残高を表示するカード残高表示装置１３１ｃなどをそれぞれ備えている。
【００２３】
さらに、前面枠１１１は、上皿ユニット１３０の下側に、下皿ユニット１４０を備え、この下皿ユニット１４０は、遊技領域１ａに向けて遊技球の発射操作を行うための操作ハンドル１４２、上皿１３１に収容しきれない遊技球を収容する下皿１４１、灰皿１４３等を備えている。
このうち操作ハンドル１４２には、発射アース接続部１４２ａ（図３）が設けられている。操作ハンドル１４２の発射アース接続部１４２ａに手２５０が触れた状態で、該操作ハンドル１４２を回動操作することで遊技球が発射されるようになっている。
さらに、本体枠１１０は、下皿ユニット１４０の下方、該本体枠１１０の最下部前面に、幕板１５０を固定的に備えている。幕板１５０には、操作ハンドル１４２の近傍に、該操作ハンドル１４２を握る手を載せるための載置装置１５５（詳細後述）が設けられている。この載置装置１５５の、例えば内部には、振動装置１５６（詳細後述）が設けられている。
【００２４】
このようなパチンコ遊技機１００における遊技は、操作ハンドル１４２の操作に基づき、上皿１３１の球を遊技領域に発射して行うようになっている。
その結果、一般入賞口８、普通変動入賞装置９、大入賞口５ｂのいずれかに球が入賞すると、それぞれ所定数の賞球が上皿１３１ないし下皿１４１に払い出されるようになっている。
また、このうち普通変動入賞装置９に入賞すると、変動表示装置４ａにて、図柄（特別図柄；特図）変動表示ゲームが開始される。この特図変動表示ゲームの結果、図柄が特定の停止態様（例えば、「７，７，７」等）で停止すると大当たりとなって特別遊技状態（いわゆる、大当たり状態）となる。この大当たり状態中は、特別変動入賞装置５の大入賞口５ｂを閉じた状態から開放状態に変換するサイクル遊技が、所定回数を限度に行われ、これにより遊技者は遊技球を大量獲得する機会を得る。すなわち、パチンコ遊技機１００は、特図変動表示ゲームの結果、予め定められた特定の停止態様となる（所定条件の成立となる）ことに関連して、遊技者に有利な特別遊技状態が発生して遊技者に対し遊技球の大量獲得機会（特定の遊技価値）を付与可能となる。
【００２５】
なお、遊技盤１の裏面側には、図示は省略するが、球の排出動作等を制御する排出制御装置、遊技領域に設けられた変動表示装置４ａの表示制御を行う表示制御装置、パチンコ遊技機１００に備えられるランプやＬＥＤなどの発光部材の点灯・点滅状態を制御する装飾制御装置、スピーカ等の出力を制御する音制御装置、遊技機前面の操作ハンドル１４２の操作に基づき遊技球を遊技領域に発射させる発射装置、この発射装置の制御を行う発射制御装置、及び上記の各制御装置等を統括制御する遊技制御装置等が設けられている。
【００２６】
次に、本発明に係る載置装置１５５について詳細に説明する。
パチンコ遊技機１００は、例えば、図２に示すように、遊技球の発射勢を調節するための操作ハンドル１４２の近傍に、該操作ハンドル１４２を操作する手を載せることが可能な載置装置１５５を備え、この載置装置１５５には、手に振動を伝達するための振動装置１５６が設けられている
【００２７】
載置装置１５５は、具体的には、例えば略四角柱状に構成された本体部１５５ｂと、この本体部１５５ｂの上面に形成され、操作ハンドル１４２を操作する手を載せることが可能な手載置面１５５ａと、本体部１５５ｂの上部の一側方（例えば右側）より、該側方に向け突出した突出部１５５ｃとを備えて概略構成されている。このうち、手載置面１５５ａは、例えば右側から左側にかけて緩やかに下り傾斜した凹面状に構成されている。
このような載置装置１５５は、手載置面１５５ａが操作ハンドル１４２の下方に位置し、該操作ハンドル１４２を操作する手を手載置面１５５ａに載せやすい状態となるように、操作ハンドル１４２の下側の幕板１５０の前面に設けられている。
この載置装置１５５の、例えば内部には振動装置１５６が設けられている。
この振動装置１５６は、配線１５７（図１）を介して音制御装置と電気的に接続されている。この配線１５７は、例えば幕板１５０の奥側で該幕板１５０に沿って回動軸側に至り、さらに該回動軸付近で下皿ユニット１４０及び上皿ユニット１３０の奥側で上方に向かって音制御装置に至るような経路となっている。
このような振動装置１５６は、配線１５７を介して音制御装置より制御指令データを受信したことに基づいて振動し、手載置面１５５ａに載せた手に該振動を伝える（発射アース接続部１４２ａに手２５０が触れていても（図３）、また、該発射アース接続部１４２ａに手２５０が触れていなくても（図４）、いずれにしても手載置面１５５ａに手２５０を載せた状態であれば、振動装置１５６より発せられた振動は手載置面１５５ａに載せた手に伝えられる）。
具体的には、例えば、リーチ状態となった場合、リーチが特定の段階に発展した場合、特定種類のリーチ態様（いわゆるスペシャルリーチ等）となった場合、特別遊技状態となった場合、予告が発生した場合等に、振動装置１５６を振動させる。
【００２８】
以上のように、この第１の実施の形態のパチンコ遊技機１００によれば、遊技球の発射勢を調節するための操作ハンドル１４２の近傍に、該操作ハンドル１４２を操作する手を載せることが可能な載置装置１５５を備えたので、遊技者は操作ハンドル１４２を掴む手や腕にかかる負担を軽減できる。よって、遊技者は長時間遊技を行っても疲れ難くなる。
また、この載置装置１５５には、手に振動を伝達するための振動装置１５６が設けられているので、遊技者は振動装置１５６から発せられた振動による報知演出を載置装置１５５に載せた手から体感することができる。
また、例えば操作ハンドルを振動させる遊技機の場合とは異なり、操作ハンドル１４２が振動するのではなく載置装置１５５が振動するので、該振動によって操作ハンドル１４２がブレることはない。
【００２９】
なお、本実施の形態では、載置装置１５５が、幕板１５０の前面に設けられていることとしたが、これに限らず、例えば、下皿ユニット１４０等に設けられていても良い。
また、振動装置１５６が、音制御装置により制御されることとしたが、これに限らず、例えば遊技制御装置あるいは表示制御装置等により制御されることとしても良い。
【００３０】
＜変形例１＞
この変形例１では、図５に示すように、載置装置１５５の上下位置を遊技者の操作により調節するための位置調節ツマミ（載置装置位置調節手段）１５４を備える例について説明する。
この位置調節ツマミ１５４は、具体的には、例えば幕板１５０の前面（例えば該載置装置１５５の右隣）に設けられている。なお、図示は省略するが、幕板１５０の奥には、位置調節ツマミ１５４の操作に連動して載置装置１５５を上下動させるための、例えば歯車機構等の移動機構を備えている。
そして、例えば位置調節ツマミ１５４を一方（例えば矢印Ｃ方向）に回すことにより、載置装置１５５を上の方向（矢印Ｄ方向）に移動させることができ、位置調節ツマミ１５４を他方（例えば図５の矢印Ｃの逆方向）に回すことにより、載置装置１５５を下の方向（矢印Ｄの逆方向）に移動させることができるようになっている。
【００３１】
この変形例１の場合には、載置装置１５５の位置を、遊技者の操作により調節するための位置調節ツマミ１５４を備えるので、遊技者が該遊技者自身の手の位置や大きさ等に合わせて載置装置１５５の位置を調節できる。よって、遊技者は手や腕により負担のかかり難い状態で遊技を行うことができる。
なお、上記の例に限らず、位置調節ツマミ１５４によって、載置装置１５５はその上下位置ではなく左右位置を調節できるようにしても良いし、上下位置と左右位置の両方を調節できるようにしても良い。
【００３２】
＜変形例２＞
この変形例２では、図６及び図７に示すように、幕板１５０の前面に載置装置１５５を着脱可能に取り付けるための取付部１６０を備える例について説明する。
この取付部１６０は、例えば図６（ａ）及び図６（ｂ）に示すように、幕板１５０から本体枠１１０の下部側壁部を構成する側板（以下、下部側板ともいう）にかけて、総体として略Ｌ字状の開口部を形成することにより概略構成されている。
この取付部１６０のうち幕板１５０側部分は、その上部にはスライド溝１６０ａを、下部にはスライドレール１６０ｂをそれぞれ備えている。
また、取付部１６０の奥の壁部には、音制御装置より導出され振動装置１５６に接続される配線１５７を挿通するための貫通穴１６６が幕板１５０側から下部側板側にかけて形成されている。
さらに、載置装置１５５は、例えば図６（ａ）に示すように、該載置装置１５５を取付部１６０に取り付けるための取付ベース部材１６１に設けられている。この取付ベース部材１６１は、その上部に、取付部１６０のスライド溝１６０ａに係合するスライドレール１６１ａを備え、下部には、取付部１６０のスライドレール１６０ｂに係合するスライド溝１６１ｂを備えている。
また、取付ベース部材１６１の一端には、該取付ベース部材１６１と直交するように蓋部１６２が設けられ、この蓋部１６２と取付ベース部材１６１は、総体として、取付部１６０を閉塞する略Ｌ字状部材を構成している。
なお、図６（ｃ）及び図７に示すように、下部側板には、蓋部１６２を取付部１６０に固定するための係止片１６８が、回動可能に設けられている。
【００３３】
載置装置１５５を取付部１６０に取り付けるには、先ず、図６（ａ）に示すように、取付ベース部材１６１のスライドレール１６１ａを取付部１６０のスライド溝１６０ａに、取付ベース部材１６１のスライド溝１６１ｂを取付部１６０のスライドレール１６０ｂに、それぞれ嵌め合わせる。次に、蓋部１６２と下部側板とが略面一となるまで取付ベース部材１６１を矢印Ａの方向に押しこむ。この状態で係止片１６８を蓋部１６２に掛かるように回動させて該蓋部１６２を取付部１６０から外れないように固定状態にする。
なお、載置装置１５５を取付部１６０から取り外す場合には、逆の手順、すなわち係止片１６８を回動させて固定状態を解除して載置装置１５５を矢印Ａの逆方向に引っ張り出せば良い。
また、貫通穴１６６を幕板１５０側から下部側板側にかけて形成したので、載置装置１５５を取付部１６０に取り付けるまたは取付部１６０から取り外す際に、配線１５７が取付ベース部材１６１と取付部１６０の奥の壁部との間に挟まることがない。
【００３４】
この変形例２の場合には、パチンコ遊技機１００の幕板１５０の前面に載置装置１５５を着脱可能に取り付けるための取付部１６０を該幕板１５０が備えているので、例えば遊技店側で載置装置１５５を取り付けるか否かを選択することができる。
【００３５】
＜変形例３＞
この変形例３では、例えば図８に図示するように、載置装置１５５の手載置面１５５ａが柔軟部材で構成されている。この手載置面１５５ａは、例えばウレタン製のシート状のものであることが挙げられるが、その他の柔軟部材、例えば革製や布製のシート状のものであっても良い。
【００３６】
この変形例３の場合には、載置装置１５５に載せた遊技者の手を柔軟部材で構成された手載置面１５５ａによってソフトに支持することができる。よって、例えば長時間遊技し続けても、操作ハンドル１４２を操作する手を載置装置１５５により心地よく支持し続けることができる。
【００３７】
＜変形例４＞
この変形例４では、載置装置１５５に遊技媒体の貸し出し操作を行うためのカード用操作部１５８を備える例について説明する。
カード用操作部１５８は遊技球の排出動作を行うための球貸スイッチ１５８ａと、カードユニット５００に挿入されたカードの返却動作を行うための返却スイッチ１５８ｂと、カードユニット５００に挿入されたカードの残高を表示するカード残高表示装置１５８ｃとから構成されている。このカード用操作部１５８は、具体的には、例えば図９に示すように、突出部１５５ｃの上面に設けられ、操作ハンドル１４２よりも外側（例えば右側）に配置される。
【００３８】
この変形例４の場合には、載置装置１５５は遊技球の貸し出し操作を行うためのカード用操作部を備えるので、遊技者は遊技球貸し出し操作を手元で容易に行うことができる。
また、カード操作部１５８を操作ハンドル１４２よりも外側に配置したので、カード操作部１５８を上皿１３１よりも低い位置に備えたにも関わらず、上皿１３１からこぼれた遊技球が、球貸スイッチ１５８ａに当たって余分に遊技球が排出されたり、返却スイッチ１５８ｂに当たって勝手にカード返却されたりする心配はない。
なお、カード用操作部１５８を突出部１５５ｃの上面に設けたが、これに限らず、要はカード用操作部１５８を操作しやすい位置に設けていれば良い。
【００３９】
［第２の実施の形態］
第２の実施の形態のパチンコ遊技機は、いわゆる「第３種」に属するタイプのパチンコ遊技機について説明を行うものであるが、以下に説明する点の他は第１の実施の形態と同様であるので、同様の構成要素については、同一の符号を付してその説明を省略する。
【００４０】
この第２の実施の形態のパチンコ遊技機は、例えば遊技領域に第１の変動入賞装置と第２の変動入賞装置と変動表示装置とを備え、次のような制御により遊技を行う。例えば、所定の始動条件の成立に基づき変動表示装置にて図柄の変動表示ゲームを行い、該変動表示ゲームの表示結果態様が予め定められた特定の停止態様となった場合に、第１の変動入賞装置が開放状態になり、該開放状態となることにより第１の変動入賞装置内に球が入賞し、さらに該入賞した球が該第１の変動入賞装置内の特定領域を通過した場合に、権利状態が発生する。
そして、この権利状態中は、所定の入賞口（第３種始動入賞口）への球の入賞に基づき第２の変動入賞装置を開放するサイクル遊技を行い、該サイクル遊技を所定回数行うと権利状態を終了する。
【００４１】
このパチンコ遊技機は、例えば図１０に示すように、載置装置１５５に第１振動装置１５６ａと第２振動装置１５６ｂとを備え、これら第１振動装置１５６ａと第２振動装置１５６ｂのうち、操作ハンドル１４２を操作すべき方向と対応する側を振動させることにより、遊技状態に応じて変化する遊技球の適正発射勢を遊技者に報知する制御を行う。
【００４２】
載置装置１５５の例えば内部には、第１振動装置１５６ａと第２振動装置１５６ｂとが左右方向に並んだ状態で配設されている。第１振動装置１５６ａと第２振動装置１５６ｂは、それぞれ配線１５７ａ、１５７ｂを介して音制御装置（図示省略）と接続されており、音制御装置からの制御指令データの受信に基づいて振動し、手載置面１５５ａに載せた手に該振動が伝わる。
【００４３】
そしてこのようなパチンコ遊技機では、例えば、権利状態を発生した場合と権利状態を終了した場合とに応じて（すなわち、遊技状態に応じて）、操作ハンドル１４２を操作すべき方向と対応する側の振動装置（第１振動装置１５６ａまたは第２振動装置１５６ｂ）を振動させるような制御を行う。
具体的には、例えば図１１（ａ）に示すように、権利状態が発生した場合に、権利状態を発生した旨のデータを音制御装置が遊技制御装置から受信すると、音制御装置から第１振動装置１５６ａに制御指令データを送信する。第１振動装置１５６ａは、音制御装置から該制御指令データを受信すると振動を始める。第３種始動入賞口に遊技球が入賞すると、音制御装置はその入賞した旨のデータを遊技制御装置から受信し、第１振動装置１５６ａに制御指令データを送信する。第１振動装置１５６ａは、音制御装置から該制御指令データを受信すると振動を停止する。
また、例えば図１１（ｂ）に示すように、権利状態が終了した場合は、権利状態が終了した旨のデータを音制御装置が遊技制御装置から受信すると、音制御装置は第２振動装置１５６ｂに制御指令データを送信する。第２振動装置１５６ｂは、音制御装置から該制御指令データを受信すると所定時間だけ振動を続けた後に停止する。
【００４４】
以上のように、この第２の実施の形態のパチンコ遊技機によれば、載置装置１５５は、第１振動装置１５６ａと第２振動装置１５６ｂとを備え、権利状態が発生した場合には、第１振動装置１５６ａを振動させることにより権利状態発生時の（第３種始動入賞口への球の入賞に基づき第２の変動入賞装置を開放するサイクル遊技を発生させるための）操作ハンドル１４２の適正操作位置を、権利状態が終了した場合には、第２振動装置１５６ｂを振動させることにより通常時の操作ハンドル１４２の適正位置を、遊技者に報知するので、第１振動装置１５６ａまたは第２振動装置１５６ｂの何れが振動したかに応じて、遊技者は操作ハンドル１４２の適正操作位置を知ることができる。よって、遊技者は遊技状態に応じて適切に操作ハンドル１４２を操作することができる。
【００４５】
なお、第２の実施の形態では、権利状態を発生した場合と終了した場合の操作ハンドル１４２の適正操作位置を、第１振動装置１５６ａまたは第２振動装置１５６ｂの何れが振動したかにより、遊技者に報知するとした。しかし、これに限らず、例えば、第１の変動入賞装置内に遊技球を入賞すべき状態となった場合等に、遊技球の適正発射勢を遊技者に報知するとしても良い。
また、本実施例の第３種のパチンコ遊技機に限られるものではなく、例えば、第１種のパチンコ遊技機のように、大当たりを発生して大入賞口へ遊技球を入賞べき状態となった場合等に、第１振動装置１５６ａまたは第２振動装置１５６ｂの何れかを振動させることにより、遊技球の適正発射勢を遊技者に報知するとしても良い。
【００４６】
また、本発明はこの実施の形態のパチンコ遊技機に限られるものではなく、例えば、その他のパチンコ遊技機、アレンジボール遊技機、雀球遊技機、パチスロ遊技機、スロットマシン等の遊技機にも適用可能である。
また、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【００４７】
【発明の効果】
請求項１記載の発明によれば、遊技媒体の発射勢を調節するための操作ハンドルの近傍に、該操作ハンドルを操作する手を載せることが可能な載置装置を備えたので、遊技者は操作ハンドルを掴む手や腕にかかる負担を軽減できる。よって、遊技者は長時間遊技を行っても疲れ難くなる。また、この載置装置には手に振動を伝達するための振動装置が設けられているので、遊技者は振動装置から発せられた振動による報知演出を載置装置に載せた手から体感することができる。また、例えば操作ハンドルを振動させる遊技機の場合とは異なり、操作ハンドルではなく載置装置が振動するので、該振動によって操作ハンドルがブレることはない。
また、振動装置を複数備え、該複数の振動装置のうち、操作ハンドルを操作すべき方向と対応する側の振動装置を振動させることにより、遊技状態に応じて変化する遊技媒体の適正発射勢を遊技者に報知するので、遊技者は振動装置の振動する位置により操作ハンドルの適正操作位置を知ることができる。よって、遊技者は遊技状態に応じて適切に操作ハンドルを操作することができる。
【００４８】
請求項２記載の発明によれば、載置装置の上下位置を、遊技者の操作により調節するための載置装置位置調節手段を備えるので、遊技者が該遊技者自身の手の位置や大きさ等に合わせて載置装置の位置を調節できる。よって、遊技者は手や腕により負担のかかり難い状態で遊技を行うことができる。
【００４９】
請求項３記載の発明によれば、遊技機の幕板の前面に載置装置を着脱可能に取り付けるための取付部を備えているので、例えば遊技店側で載置装置を取り付けるか否かを選択することができる。
【００５０】
請求項４記載の発明によれば、手載置面が柔軟部材で構成されているので、載置装置に載せた遊技者の手を柔軟部材によってソフトに支持することができる。よって、例えば長時間遊技し続けても、載置装置により心地よく支持し続けることができる。
【００５１】
請求項５記載の発明によれば、遊技者は遊技媒体の貸し出し操作を手元で容易に行うことができる。また、遊技媒体の貸し出し操作を行うためのカード操作部を突出部の上面であって操作ハンドルよりも外側に配置したので、カード操作部を上皿よりも低い位置に備えたにも関わらず、上皿からこぼれた遊技球が、球貸スイッチに当たって余分に遊技球が排出されたり、返却スイッチに当たって勝手にカード返却されたりする心配はない。
【図面の簡単な説明】
【図１】パチンコ遊技機の正面図である。
【図２】載置装置を示す拡大斜視図である。
【図３】載置装置の手載置面に手を載せた状態で操作ハンドルを握っている場合の操作ハンドルと載置装置付近の概略側面図である。
【図４】載置装置の手載置面に手を載せた状態で操作ハンドルを放している場合の操作ハンドルと載置装置付近の概略側面図である。
【図５】遊技者の操作により調節するための載置装置位置調節手段を備える場合の載置装置付近の概略正面図である。
【図６】載置装置を着脱可能に取り付けるための取付部を備える場合の載置装置及び取付部付近の概略図である。このうち、（ａ）は載置装置及び取付部付近の概略斜視図であり、（ｂ）は取付部付近の概略側面図であり、（ｃ）は載置装置を取り付けた状態の載置装置及び取付部付近の概略側面図である。
【図７】図６（ｃ）のＢ−Ｂ矢視断面図である。
【図８】操作ハンドルを操作する手を該載置装置に載せた際に手の当たる部分が柔軟部材で構成されている場合の載置装置の一部を拡大した概略正面図である。
【図９】カード用操作部を備えた場合の載置装置を遊技機の鉛直上方から見た概略図である。
【図１０】複数の振動装置を設けた場合の載置装置を示す拡大斜視図である。
【図１１】遊技状態に応じて変化する遊技球の適正発射勢を遊技者に報知する制御を説明するためのタイムチャートである。
【符号の説明】
１００    パチンコ遊技機（遊技機）
１４２    操作ハンドル
１５０    幕板
１５４    位置調節ツマミ（載置装置位置調節手段）
１５５    載置装置
１５５ａ  手載置面
１５５ｂ 本体部
１５５ｃ 突出部
１５６    振動装置
１５６ａ  第１振動装置（振動装置）
１５６ｂ  第２振動装置（振動装置）
１５８    カード用操作部
１５８ａ  球貸スイッチ（カード用操作部を構成する）
１５８ｂ  返却スイッチ（カード用操作部を構成する）
１５８ｃ  カード残高表示装置（カード用操作部を構成する）
１６０    取付部
【図１】
0004041300.tif 000002
【図２】
0004041300.tif 000003
【図３】
0004041300.tif 000004
【図４】
0004041300.tif 000005
【図５】
0004041300.tif 000006
【図６】
0004041300.tif 000007
【図７】
0004041300.tif 000008
【図８】
0004041300.tif 000009
【図９】
0004041300.tif 000010
【図１０】
0004041300.tif 000011
【図１１】
0004041300.tif 000012